(57)【特許請求の範囲】
【請求項１】
同期エンティティを作成する方法であって、
ブロードキャスト・マルチキャスト・サービスセンター（ＢＭ−ＳＣ）で、サービスの合計量に等しい量の複数の同期エンティティを作成して、前記作成された複数の同期エンティティを、１対１の対応関係で前記サービスと関連付けるステップと、
同期エンティティ作成命令を、マルチメディア・ブロードキャスト・マルチキャスト単一周波数ネットワーク（ＭＢＳＦＮ）領域内のすべての基地局に送信するステップと、
各基地局で、前記受信した同期エンティティ作成命令に基づき、サービスの合計量に等しい量の複数の同期エンティティを作成して、前記作成された複数の同期エンティティを、１対１の対応関係で前記サービスと関連付けるステップとを含む、同期エンティティを作成する方法。
【請求項２】
前記同期エンティティ作成命令が、サービスの合計量、サービス識別情報、およびサービス開始指示を含む、請求項１に記載の同期エンティティを作成する方法。
【請求項３】
同期エンティティを更新する方法であって、
ブロードキャスト・マルチキャスト・サービスセンター（ＢＭ−ＳＣ）で、新しいサービスが開始するとき、新しい同期エンティティを作成して、前記作成された新しい同期エンティティを、１対１の対応関係で前記新しいサービスと関連付けるステップと、
同期エンティティ更新命令を、マルチメディア・ブロードキャスト・マルチキャスト単一周波数ネットワーク（ＭＢＳＦＮ）領域内のすべての基地局に送信するステップと、
各基地局で、前記受信した同期エンティティ更新命令に基づき、新しい同期エンティティを作成して、前記作成された新しい同期エンティティを、１対１の対応関係で前記サービスと関連付けるステップとを含む、同期エンティティを更新する方法。
【請求項４】
前記同期エンティティ更新命令が、サービス識別情報、およびサービス開始指示を含む、請求項３に記載の同期エンティティを更新する方法。
【請求項５】
同期エンティティを解放する方法であって、
ブロードキャスト・マルチキャスト・サービスセンター（ＢＭ−ＳＣ）で、元のサービスが終了したとき、前記元のサービスに関連付けられた同期エンティティを解放するステップと、
同期エンティティ解放命令を、マルチメディア・ブロードキャスト・マルチキャスト単一周波数ネットワーク（ＭＢＳＦＮ）領域内のすべての基地局に送信するステップと、
各基地局で、前記受信した同期エンティティ解放命令に基づき、前記元のサービスに関連付けられた同期エンティティを解放するステップとを含む、同期エンティティを解放する方法。
【請求項６】
前記同期エンティティ解放命令が、サービス識別情報、およびサービス終了指示を含む、請求項５に記載の同期エンティティを解放する方法。
【請求項７】
ＳＹＮＣエンティティを作成する方法であって、
ブロードキャスト・マルチキャスト・サービスセンター（ＢＭ−ＳＣ）で、サービス・グループの合計量に等しい量の複数の同期エンティティを作成して、前記作成された複数の同期エンティティを、１対１の対応関係で前記サービス・グループと関連付けるステップと、
同期エンティティ作成命令を、マルチメディア・ブロードキャスト・マルチキャスト単一周波数ネットワーク（ＭＢＳＦＮ）領域内のすべての基地局に送信するステップと、
各基地局で、前記受信した同期エンティティ作成命令に基づき、サービス・グループの合計量に等しい量の複数の同期エンティティを作成して、前記作成された複数の同期エンティティを、１対１の対応関係で前記サービス・グループと関連付けるステップとを含む、ＳＹＮＣエンティティを作成する方法。
【請求項８】
同期エンティティを更新する方法であって、
ブロードキャスト・マルチキャスト・サービスセンター（ＢＭ−ＳＣ）で、新しいサービスが開始するとき、前記新しいサービスが、既存のグループに属しているかどうかをまず判定するステップと、
前記新しいサービスが、どの既存のサービス・グループにも属していない場合、新しい同期エンティティを作成して、前記作成された新しい同期エンティティを、１対１の対応関係で前記新しいサービスと関連付けるステップと、
同期エンティティ更新命令を、マルチメディア・ブロードキャスト・マルチキャスト単一周波数ネットワーク（ＭＢＳＦＮ）領域内のすべての基地局に送信するステップと、
各基地局で、前記受信した同期エンティティ更新命令に基づき、前記新しいサービスが、既存のサービス・グループに属しているかどうかをまず判定するステップと、
前記新しいサービスが、どの既存のサービス・グループにも属していない場合、新しい同期エンティティを作成して、前記作成された新しい同期エンティティを、１対１の対応関係で前記新しいサービスと関連付けるステップとを含む、同期エンティティを更新する方法。
【請求項９】
ＢＭ−ＳＣで、前記新しいサービスが既存のサービス・グループに属している場合、同期エンティティ更新命令を、ＭＢＳＦＮ領域内のすべての基地局に直接送信するステップと、
各基地局で、前記新しいサービスが既存のサービス・グループに属している場合、前記同期エンティティ更新プロセスを直接終了させるステップとをさらに含む、請求項８に記載の同期エンティティを更新する方法。
【請求項１０】
同期エンティティを解放する方法であって、
ブロードキャスト・マルチキャスト・サービスセンター（ＢＭ−ＳＣ）で、元のサービスが終了したとき、前記元のサービスが、その属しているサービス・グループ中の最後のサービスであるかどうかを判定するステップと、
前記元のサービスが、その属している前記サービス・グループ中の前記最後のサービスである場合、前記元のサービスが属している前記サービス・グループに関連付けられた同期エンティティを解放するステップと、
同期エンティティ解放命令を、マルチメディア・ブロードキャスト・マルチキャスト単一周波数ネットワーク（ＭＢＳＦＮ）領域内のすべての基地局に送信するステップと、
各基地局で、前記受信した同期エンティティ解放命令に基づき、前記元のサービスが、その属している前記サービス・グループ中の前記最後のサービスであるかどうかを判定するステップと、
前記元のサービスが、その属している前記サービス・グループ中の前記最後のサービスである場合、前記元のサービスが属している前記サービス・グループに関連付けられた同期エンティティを解放するステップとを含む、同期エンティティを解放する方法。
【請求項１１】
ＳＹＮＣエンティティを作成する方法であって、
ブロードキャスト・マルチキャスト・サービスセンター（ＢＭ−ＳＣ）で、単一の同期エンティティを作成する、または静的に構成するステップと、
同期エンティティ作成命令を、マルチメディア・ブロードキャスト・マルチキャスト単一周波数ネットワーク（ＭＢＳＦＮ）領域内のすべての基地局に送信するステップと、
各基地局で、前記受信した同期エンティティ作成命令に基づき、単一の同期エンティティを作成するステップとを含む、ＳＹＮＣエンティティを作成する方法。
【請求項１２】
同期エンティティを作成するように構成された同期エンティティ作成ユニットと、
前記同期エンティティ作成ユニットにより作成された前記同期エンティティを、サービスまたはサービス・グループと関連付けるように構成された同期エンティティ関連付けユニットと、
同期エンティティ作成命令、または同期エンティティ更新命令を、マルチメディア・ブロードキャスト・マルチキャスト単一周波数ネットワーク（ＭＢＳＦＮ）領域内のすべての基地局に送信するように構成された命令ユニットとを備える、ブロードキャスト・マルチキャスト・サービスセンター（ＢＭ−ＳＣ）。
【請求項１３】
新しいサービスを開始するか、それとも元のサービスを終了するかを判定するように構成されたサービス開始／終了ユニットと、
サービスまたはサービス・グループに基づき、同期エンティティを解放するように構成された同期エンティティ解放ユニットとをさらに備え、
新しいサービスを開始すると判定された場合、前記サービス開始／終了ユニットは、前記同期エンティティ作成ユニットに対して、同期エンティティを作成するように命令し、
また
元のサービスを終了すると判定された場合、前記サービス開始／終了ユニットが、前記同期エンティティ解放ユニットに対して、同期エンティティを解放するように命令し、かつ前記命令ユニットが、同期エンティティ解放命令を、ＭＢＳＦＮ領域内のすべての基地局に送信するようにさらに構成される、請求項１２に記載のＢＭ−ＳＣ。
【請求項１４】
ブロードキャスト・マルチキャスト・サービスセンター（ＢＭ−ＳＣ）から、同期エンティティ作成命令、または同期エンティティ更新命令を受信するように構成された受信ユニットと、
同期エンティティを作成するように構成された同期エンティティ作成ユニットと、
前記同期エンティティ作成ユニットにより作成された前記同期エンティティを、サービスまたはサービス・グループと関連付けるように構成された同期エンティティ関連付けユニットとを備える、基地局。
【請求項１５】
前記受信ユニットが、前記ＢＭ−ＳＣから、同期エンティティ解放命令を受信するようにさらに構成され、かつ
前記基地局が、サービスまたはサービス・グループに基づき、同期エンティティを解放するように構成された同期エンティティ解放ユニットをさらに備える、請求項１４に記載の基地局。
【発明の詳細な説明】
【技術分野】
【０００１】
本発明は、移動体通信の分野に関し、より詳細には、ｅＮＢ（基地局）とＢＭ−ＳＣ（Ｂｒｏａｄｃａｓｔ  Ｍｕｌｔｉｃａｓｔ  Ｓｅｒｖｉｃｅ  Ｃｅｎｔｅｒ：ブロードキャスト・マルチキャスト・サービスセンター）との間でＳＹＮＣ（同期）エンティティを作成し、更新し、かつ解放するプロセスに関し、またＳＹＮＣエンティティを作成し、更新し、かつ解放する上記のプロセスを実施するためのｅＮＢおよびＢＭ−ＳＣに関する。
【背景技術】
【０００２】
ＳＹＮＣエンティティは、２つのＳＹＮＣエンティティの間でコンテンツ同期を保証するために、ｅＮＢおよびＢＭ−ＳＣにピアツーピアで配置される。しかし、どのようにＳＹＮＣエンティティを構成すべきかは、なお、懸案の問題である。ＳＹＮＣエンティティの構成を検討する場合、以下の２つの事実に留意すべきである。すなわち、（１）３ＧＰＰは、一般に、統計的にサービスを多重化する解決策を認めており、その場合、複数のサービスをまとめる、またはグループ化することが可能であり、かつそのサービス・クラスタまたはサービス・グループを仮想的に大きなサービスと見なすことができ、それにより、単純化が実現されること、および（２）１つのセルは、１つのＭＢＳＦＮ（Ｍｕｌｔｉｍｅｄｉａ  Ｂｒｏａｄｃａｓｔ  Ｍｕｌｔｉｃａｓｔ  Ｓｉｎｇｌｅ  Ｆｒｅｑｕｅｎｃｙ  Ｎｅｔｗｏｒｋ：マルチメディア・ブロードキャスト・マルチキャスト単一周波数ネットワーク）だけに属しており、１つのＭＢＳＦＮ領域にあるすべてのセルは、同じサービスを送信することである。
【発明の概要】
【発明が解決しようとする課題】
【０００３】
上記の検討に基づいて、本発明は、ＳＹＮＣエンティティの構成構造に関する１組の技術的解決策を提供する。
【課題を解決するための手段】
【０００４】
本発明は、ｅＮＢとＢＭ−ＳＣとの間で、ＳＹＮＣエンティティを作成し、更新し、かつ解放する新規のプロセスを提供し、またＳＹＮＣエンティティを作成し、更新し、かつ解放する上記のプロセスを実施するためのｅＮＢおよびＢＭ−ＳＣを提供する。
【０００５】
本発明の第１の態様によれば、ＢＭ−ＳＣで、サービスの合計量と同量の複数のＳＹＮＣエンティティを作成して、作成された複数のＳＹＮＣエンティティを、１対１の対応関係でサービスと関連付けるステップと、ＳＹＮＣエンティティ作成命令を、ＭＢＳＦＮ領域内のすべてのｅＮＢに送信するステップと、各ｅＮＢで、受信したＳＹＮＣエンティティ作成命令に基づき、サービスの合計量に等しい量の複数のＳＹＮＣエンティティを作成して、作成された複数のＳＹＮＣエンティティを、１対１の対応関係でサービスと関連付けるステップとを含む、ＳＹＮＣエンティティを作成する方法が提供される。
【０００６】
ＳＹＮＣエンティティ作成命令は、サービスの合計量、サービス識別情報、およびサービス開始指示を含むことが好ましい。
【０００７】
本発明の第１の態様によれば、ＢＭ−ＳＣで、新しいサービスが開始するとき、新しいＳＹＮＣエンティティを作成して、作成された新しいＳＹＮＣエンティティを、１対１の対応関係で新しいサービスと関連付けるステップと、ＳＹＮＣエンティティ更新命令を、ＭＢＳＦＮ領域内のすべてのｅＮＢに送信するステップと、各ｅＮＢで、受信したＳＹＮＣエンティティ更新命令に基づき、新しいＳＹＮＣエンティティを作成して、作成された新しいＳＹＮＣエンティティを、１対１の対応関係で新しいサービスと関連付けるステップとを含む、ＳＹＮＣエンティティを更新する方法がさらに提供される。
【０００８】
ＳＹＮＣエンティティ更新命令は、サービス識別情報、およびサービス開始指示を含むことが好ましい。
【０００９】
本発明の第１の態様によれば、ＢＭ−ＳＣで、元のサービスが終了したとき、元のサービスに関連付けられたＳＹＮＣエンティティを解放するステップと、ＳＹＮＣエンティティ解放命令を、ＭＢＳＦＮ領域内のすべてのｅＮＢに送信するステップと、各ｅＮＢで、受信したＳＹＮＣエンティティ解放命令に基づき、元のサービスに関連付けられたＳＹＮＣエンティティを解放するステップとを含む、ＳＹＮＣエンティティを解放する方法が、さらに提供される。
【００１０】
ＳＹＮＣエンティティ解放命令は、サービス識別情報、およびサービス終了指示を含むことが好ましい。
【００１１】
本発明の第２の態様によれば、ＢＭ−ＳＣで、サービス・グループの合計量に等しい量の複数のＳＹＮＣエンティティを作成して、作成された複数のＳＹＮＣエンティティを、１対１の対応関係でサービス・グループと関連付けるステップと、ＳＹＮＣエンティティ作成命令を、ＭＢＳＦＮ領域内のすべてのｅＮＢに送信するステップと、各ｅＮＢで、受信したＳＹＮＣエンティティ作成命令に基づき、サービス・グループの合計量に等しい量の複数のＳＹＮＣエンティティを作成して、作成された複数のＳＹＮＣエンティティを、１対１の対応関係でサービス・グループと関連付けるステップとを含む、ＳＹＮＣエンティティを作成する方法が提供される。
【００１２】
ＳＹＮＣエンティティ作成命令は、サービスの合計量、サービス・グループ化情報、およびサービス開始指示を含むことが好ましい。
【００１３】
ＳＹＮＣエンティティ作成命令は、サービスの合計量、サービス識別情報、およびサービス開始指示を含み、またＢＭ−ＳＣで、各サービスのデータパケットがバッファされ、再構成されることが好ましい。
【００１４】
本発明の第２の態様によれば、ＢＭ−ＳＣで、新しいサービスが開始するとき、新しいサービスが、既存のサービス・グループに属しているかどうかをまず判定するステップと、新しいサービスが、どの既存のサービスにも属していない場合、新しいＳＹＮＣエンティティを作成して、作成された新しいＳＹＮＣエンティティを、１対１の対応関係で新しいサービスと関連付けるステップと、ＳＹＮＣエンティティ更新命令を、ＭＢＳＦＮ領域内のすべてのｅＮＢに送信するステップと、各ｅＮＢで、受信したＳＹＮＣエンティティ更新命令に基づき、新しいサービスが、既存のサービス・グループに属しているかどうかをまず判定するステップと、新しいサービスが、どの既存のグループにも属していない場合、新しいＳＹＮＣエンティティを作成して、作成された新しいＳＹＮＣエンティティを、１対１の対応関係で新しいサービスと関連付けるステップとを含む、ＳＹＮＣエンティティを更新する方法がさらに提供される。
【００１５】
ＳＹＮＣエンティティ作成命令は、サービス識別情報、サービス・グループ化情報、およびサービス開始指示を含むことが好ましい。
【００１６】
ＳＹＮＣエンティティ作成命令は、サービス識別情報、およびサービス開始指示を含み、またＢＭ−ＳＣで、各サービスのデータパケットがバッファされ、かつ再構成されることが好ましい。
【００１７】
ＳＹＮＣエンティティを更新する方法は、好ましくは、ＢＭ−ＳＣで、新しいサービスが既存のサービス・グループに属している場合、ＳＹＮＣエンティティ更新命令を、ＭＢＳＦＮ領域内のすべてのｅＮＢに直接送信するステップと、各ｅＮＢで、新しいサービスが既存のサービス・グループに属している場合、ＳＹＮＣエンティティ更新プロセスを直接終了させるステップとをさらに含む。
【００１８】
本発明の第２の態様によれば、ＢＭ−ＳＣで、元のサービスが終了したとき、元のサービスが、その属しているサービス・グループ中の最後のサービスであるかどうかを判定するステップと、元のサービスが、その属しているサービス・グループ中の最後のサービスである場合、サービス・グループに関連付けられたＳＹＮＣエンティティを解放するステップと、ＳＹＮＣエンティティ解放命令を、ＭＢＳＦＮ領域内のすべてのｅＮＢに送信するステップと、各ｅＮＢで、受信したＳＹＮＣエンティティ解放命令に基づき、元のサービスが、その属しているサービス・グループ中の最後のサービスであるかどうかを判定するステップと、元のサービスが、その属しているサービス・グループ中の最後のサービスである場合、その属しているサービス・グループに関連付けられたＳＹＮＣエンティティを解放するステップとを含む、ＳＹＮＣエンティティを解放する方法がさらに提供される。
【００１９】
ＳＹＮＣエンティティ解放命令は、サービス識別情報、サービス・グループ化情報、およびサービス終了指示を含むことが好ましい。
【００２０】
ＳＹＮＣエンティティ解放命令は、サービス識別情報、およびサービス終了指示を含み、またＢＭ−ＳＣで、各サービスのデータパケットがバッファされ、かつ再構成されることが好ましい。
【００２１】
ＳＹＮＣエンティティを解放する方法は、好ましくは、ＢＭ−ＳＣで、元のサービスが、その属しているサービス・グループ中の最後のサービスではない場合、ＳＹＮＣエンティティ解放命令をＭＢＳＦＮ領域内のすべてのｅＮＢに直接送信するステップと、各ｅＮＢで、元のサービスが、その属しているサービス・グループ中の最後のサービスではない場合、ＳＹＮＣエンティティ解放プロセスを直接終了させるステップとをさらに含む。
【００２２】
本発明の第３の態様によれば、ＢＭ−ＳＣで、単一のＳＹＮＣエンティティを作成する、または静的に構成するステップと、ＳＹＮＣエンティティ作成命令を、ＭＢＳＦＮ領域内のすべてのｅＮＢに送信するステップと、各ｅＮＢで、受信したＳＹＮＣエンティティ作成命令に基づき、単一のＳＹＮＣエンティティを作成するステップとを含む、ＳＹＮＣエンティティを作成する方法が提供される。
【００２３】
ＳＹＮＣエンティティ作成命令は、サービス識別情報、サービス・グループ化情報、およびサービス開始指示を含むことが好ましい。
【００２４】
ＳＹＮＣエンティティ作成命令は、サービス識別情報、およびサービス開始指示を含み、またＢＭ−ＳＣで、各サービスのデータパケットがバッファされ、かつ再構成されることが好ましい。
【００２５】
ＳＹＮＣエンティティ作成方法は、ＢＭ−ＳＣからのＳＹＮＣエンティティ更新命令を、ＭＢＳＦＮ領域内のすべてのｅＮＢに送信するステップをさらに含むことが好ましい。
【００２６】
ＳＹＮＣエンティティ更新命令は、サービス識別情報、サービス・グループ化情報、およびサービス開始指示を含み、またはＳＹＮＣエンティティ更新命令は、サービス識別情報、サービス・グループ化情報、およびサービス終了指示を含むことが好ましい。
【００２７】
ＳＹＮＣエンティティ更新命令は、サービス識別情報、およびサービス開始指示を含み、またはＳＹＮＣエンティティ更新命令は、サービス識別情報、およびサービス終了指示を含み、ＢＭ−ＳＣで、各サービスのデータパケットがバッファされ、かつ再構成されることが好ましい。
【００２８】
本発明の第４の態様によれば、ＳＹＮＣエンティティを作成するように構成されたＳＹＮＣエンティティ作成ユニットと、作成されたＳＹＮＣエンティティを、サービスまたはサービス・グループと関連付けるように構成されたＳＹＮＣエンティティ関連付けユニットと、ＳＹＮＣエンティティ作成命令、またはＳＹＮＣエンティティ更新命令を、ＭＢＳＦＮ領域内のすべてのｅＮＢに送信するように構成された命令ユニットとを含むＢＭ−ＳＣが提供される。
【００２９】
好ましくは、ＢＭ−ＳＣは、新しいサービスを開始するか、それとも元のサービスを終了するかを判定するように構成されたサービス開始／終了ユニットと、サービスまたはサービス・グループに基づき、ＳＹＮＣエンティティを解放するように構成されたＳＹＮＣエンティティ解放ユニットとをさらに含み、新しいサービスを開始すると判定された場合、サービス開始／終了ユニットは、ＳＹＮＣエンティティ作成ユニットに対して、ＳＹＮＣエンティティを作成するように命令し、また元のサービスを終了すると判定された場合、サービス開始／終了ユニットは、サービスＳＹＮＣエンティティ解放ユニットに対して、ＳＹＮＣエンティティを解放するように命令し、かつ命令ユニットが、ＳＹＮＣエンティティ解放命令を、ＭＢＳＦＮ領域内のすべてのｅＮＢに送信するようにさらに構成される。
【００３０】
ＳＹＮＣエンティティ作成ユニットは、サービスまたはサービス・グループに基づき、ＳＹＮＣエンティティを作成することが好ましい。
【００３１】
本発明の第５の態様によれば、ＢＭ−ＳＣから、ＳＹＮＣエンティティ作成命令、またはＳＹＮＣエンティティ更新命令を受信するように構成された受信ユニットと、ＳＹＮＣエンティティを作成するように構成されたＳＹＮＣエンティティ作成ユニットと、ＳＹＮＣエンティティ作成ユニットにより作成されたＳＹＮＣエンティティを、サービスまたはサービス・グループと関連付けるように構成されたＳＹＮＣエンティティ関連付けユニットとを含むｅＮＢが提供される。
【００３２】
受信ユニットは、ＢＭ−ＳＣから、ＳＹＮＣエンティティ解放命令を受信するようにさらに構成され、またｅＮＢが、サービスまたはサービス・グループに基づき、ＳＹＮＣエンティティを解放するように構成されたＳＹＮＣエンティティ解放ユニットをさらに含むことが好ましい。
【００３３】
ＳＹＮＣエンティティ作成ユニットは、サービスまたはサービス・グループに基づき、ＳＹＮＣエンティティを作成することが好ましい。
【００３４】
本発明の上記の代替の態様によれば、ＳＹＮＣエンティティを構成することに関する問題が成功裡に解決される。しかし、これらの解決策は、それ自体の利点および欠点を有している（好ましい実施形態における詳細な分析を参照のこと）。システムの適用および構成において、当業者であれば、必要に応じて適切な解決策を選択することができる。
【００３５】
図面と併せて、本発明の非限定的な諸実施形態に関する以下の詳細な記述に基づけば、本発明の上記および他の目的、特徴および利点がより明らかになろう。
【図面の簡単な説明】
【００３６】
【図１Ａ】各サービスが、対応するＳＹＮＣエンティティを有する、実施形態１を示す図である。
【図１Ｂ】実施形態１によるＳＹＮＣエンティティ作成プロセスを示す図である。
【図１Ｃ】実施形態１によるＳＹＮＣエンティティ更新プロセスを示す図である。
【図１Ｄ】実施形態１によるＳＹＮＣエンティティ解放プロセスを示す図である。
【図２Ａ】ＳＹＮＣエンティティが、サービス多重化グループに基づいている、実施形態２を示す図である。
【図２Ｂ】実施形態２によるＳＹＮＣエンティティ作成プロセスを示す図である。
【図２Ｃ】実施形態２によるＳＹＮＣエンティティ更新プロセスを示す図である。
【図２Ｄ】実施形態２によるＳＹＮＣエンティティ解放プロセスを示す図である。
【図３Ａ】ＳＹＮＣエンティティが、ＭＢＳＦＮ領域に基づいている、実施形態３を示す図である。
【図３Ｂ】ＳＹＮＣエンティティ作成プロセスおよびＳＹＮＣエンティティ更新プロセスを含む、実施形態３の特有のオペレーション・フローを示す図である。
【図４】ＳＹＮＣエンティティを作成し、更新し、かつ解放するプロセスを実施するように構成されたＢＭ−ＳＣの構造ブロック図である。
【図５】ＳＹＮＣエンティティを作成し、更新し、かつ解放するプロセスを実施するように構成されたｅＮＢの構造ブロック図である。
【発明を実施するための形態】
【００３７】
以降では、本発明は、図面を参照して述べるものとする。以下の記述において、いくつかの特有の実施形態は、例示するためだけのものであり、本発明を何らかの意味で限定するものとして理解されるべきではなく、単なる例に過ぎない。従来のアーキテクチャ構造が、本発明を理解する上で曖昧さを生ずる可能性のある場合、それらは除外される。
【００３８】
本発明において、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ：マルチメディア・ブロードキャスト・マルチキャスト・サービス）に対する前提条件は、各セルが１つのＭＢＳＦＮ領域にだけ属しており、ＭＢＳＦＮ領域間で重複が存在しないことである。したがって、１つのＭＢＳＦＮ領域内のすべてのセルは、同じサービス・プロファイル、無線構成を有し、また同じＩＰマルチキャスト宛先を有する。上記の前提条件に基づけば、ネットワーク展開、および関連する技術的解決策がかなり簡単になる。この場合、ＳＹＮＣエンティティをどのように構成すべきかの問題を検討する必要がある。強調される理由は、サービスを転送する場合、同じＳＤＵ（Ｓｅｒｖｉｃｅ  Ｄａｔａ  Ｐａｃｋｅｔ：サービス・データパケット）パケット・エラーレート（ＰＥＲ）を必要とするサービスなど、いくつかのサービスは共に多重化されうるが、いくつかの他のサービスは、共に多重化されないことである。様々なＳＹＮＣエンティティ構成解決策が、ＳＹＮＣプロトコルおよびシステムの複雑さに影響する可能性がある。
【００３９】
１対のピアツーピアのＳＹＮＣエンティティは、それらの間でデータに対するコンテンツ同期を保証する。サービスを多重化する場合、特に、サービス切換え点でパケット損失がある場合には、複数のサービスは、バイト計数およびパケット計数に基づいて互いに関連付けられる。したがって、１つのサービスの同期化は、共に多重化された他のサービスに影響を与えることになる。この場合、ＳＹＮＣエンティティもまた、互いに関連付けられる。本発明によれば、以下の３つの実施形態が提供される。しかし、本発明の範囲は、これらの実施形態の特有の記述に限定されるべきではなく、これらの特有の記述を読むことにより当業者によって企図されうる均等な技術的解決策をすべて包含すべきである。
【００４０】
実施形態１：対応するＳＹＮＣエンティティを備えた各サービス
【００４１】
図１Ａは、各サービスがそれに対応するＳＹＮＣエンティティを有する、実施形態１の図を示している。
【００４２】
図１Ａで示すように、実施形態１は、最も直接的な解決策である。この場合、ＳＹＮＣエンティティはサービスに関係する。サービスを開始または終了すると、ＳＹＮＣエンティティが作成または解放される。パケット損失がサービス多重化グループ内で生じた場合、パケット計数およびバイト計数が、各サービスに対して個々に実施されるので、パケット損失により、１つまたは複数のどのサービスが影響を受けるかを明確に判定することができる。このような観点によれば、サービス送信の切換え点におけるパケット損失の問題を処理する場合、実施形態１は固有のロバスト性を有する。
【００４３】
概して、実施形態１の利点および欠点は、以下のようになる。
【００４４】
利点：
・簡単であり、直感的である。
・パケット損失により影響を受けるサービスを明確に識別できるので、多重化されたサービスにおけるパケット損失問題に対して良好な防御性を有する。
【００４５】
欠点：
・本発明の他の実施形態と比較して、ＳＹＮＣエンティティを作成し、解放する頻度が高すぎる。
【００４６】
図１Ｂ〜１Ｄは、ＳＹＮＣエンティティ作成プロセス、ＳＹＮＣエンティティ更新プロセス、およびＳＹＮＣエンティティ解放プロセスを含む、実施形態１の特有のオペレーション・フローを示す。
【００４７】
図１Ｂは、実施形態１によるＳＹＮＣエンティティ作成プロセスを示している。図１Ｂで示すように、ステップＳ１０１で、ＢＭ−ＳＣは、サービスの合計量に等しい量の複数のＳＹＮＣエンティティを作成する。ステップＳ１０３で、ＢＭ−ＳＣは、各ＳＹＮＣエンティティが１つのサービスに関連付けられ、かつ各サービスがまた、１つのＳＹＮＣエンティティに関連付けられるように、１対１の対応関係で、作成された複数のＳＹＮＣエンティティをサービスと関連付ける。次いで、ステップＳ１０５で、ＢＭ−ＳＣは、ＳＹＮＣエンティティ作成命令を、ＭＢＳＦＮ領域内のｅＮＢに送信するが、そのＳＹＮＣエンティティ作成命令は、サービスの合計量、サービス識別情報、およびサービス開始指示を含むことができる。ステップＳ１０７で、ｅＮＢは、受信したＳＹＮＣエンティティ作成命令に基づき、サービスの合計量に等しい量の複数のＳＹＮＣエンティティを作成する。ステップＳ１０９で、ｅＮＢは、各ＳＹＮＣエンティティが１つのサービスに関連付けられ、かつ各サービスがまた、１つのＳＹＮＣエンティティに関連付けられるように、１対１の対応関係で、作成された複数のＳＹＮＣエンティティをサービスと関連付ける。このようにして、ＳＹＮＣエンティティ作成プロセスは完了する。このＳＹＮＣエンティティ作成プロセスは、概して、システムの初期化プロセス中に行われる。システムが動作状態にあるとき、動作中にサービス変更が行われる（新しいサービスが開始する、または元のサービスが終了する）間に、ＳＹＮＣエンティティ更新プロセス、およびＳＹＮＣエンティティ解放プロセスが実施される。
【００４８】
図１Ｃは、実施形態１によるＳＹＮＣエンティティ更新プロセスを示す。図１Ｃで示すように、ステップＳ１１１で、新しいサービスが開始すると、ＢＭ−ＳＣは、新しいＳＹＮＣエンティティを作成する。ステップＳ１１３で、ＢＭ−ＳＣは、作成された新しいＳＹＮＣエンティティを、１対１の対応関係で新しいサービスと関連付ける。次いで、ステップＳ１１５で、ＢＭ−ＳＣは、ＳＹＮＣエンティティ更新命令を、ＭＢＳＦＮ領域内のｅＮＢに送信するが、そのＳＹＮＣエンティティ更新命令は、サービス識別情報、およびサービス開始指示を含むことができる。ステップＳ１１７で、ｅＮＢは、受信したＳＹＮＣエンティティ更新命令に基づき、新しいＳＹＮＣエンティティを作成する。ステップＳ１１９で、ｅＮＢは、作成された新しいＳＹＮＣエンティティを、１対１の対応関係で新しいサービスと関連付ける。このようにして、新しいサービスのためのＳＹＮＣエンティティ更新プロセスが完了する。
【００４９】
図１Ｄは、実施形態１によるＳＹＮＣエンティティ解放プロセスを示す。図１Ｄで示すように、ステップＳ１２１で、ＢＭ−ＳＣは、元のサービスの終了を検出する。ステップＳ１２３で、ＭＢ−ＳＣは、サービスに関連付けられたＳＹＮＣエンティティを解放する。次いで、ステップＳ１２５で、ＢＭ−ＳＣは、ＳＹＮＣエンティティ解放命令を、ＭＢＳＦＮ領域内のｅＮＢに送信するが、そのＳＹＮＣエンティティ解放命令は、サービス識別情報、およびサービス終了指示を含むことができる。ステップＳ１２７で、ｅＮＢは、受信したＳＹＮＣエンティティ解放命令に基づき、サービスに関連付けられたＳＹＮＣエンティティを解放する。このようにして、元のサービスに対するＳＹＮＣエンティティ解放プロセスは完了する。
【００５０】
実施形態２：サービス多重化グループをベースにしたＳＹＮＣエンティティ
【００５１】
図２Ａは、ＳＹＮＣエンティティがサービス多重化グループに基づいている、実施形態２の図を示している。
【００５２】
図２Ａで示すように、実施形態２では、ＳＹＮＣエンティティは、サービス多重化グループに基づいている、すなわち、各サービス多重化グループは、対応するＳＹＮＣエンティティを有する。実施形態１と比較すると、この実施形態におけるＳＹＮＣエンティティの作成および解放は、あまり高い頻度で行われないが、それは、あるサービス多重化グループ内のすべてのサービスが終了した場合にだけ、そのサービス多重化グループに関係するＳＹＮＣエンティティが解放されることになるからである。実施形態２は、以下の利点を有する、すなわち、ＳＹＮＣエンティティは、最初に、サービスの多重化をサポートするように設計される（例えば、多重化されたサービスを、１つの仮想的なサービスと見なすことができる）が、非多重化インスタンスは、特殊なサービス多重化と見なすことができる（すなわち、各サービスは、個々に多重化される）ことである。実施形態２では、同じＳＹＮＣエンティティ中で各サービスを識別するためには、さらなる情報が必要であるか、または異なるサービスに対するデータパケットを、送信前にＢＭ−ＳＣでバッファし、かつ再構成することができる。
【００５３】
概して、実施形態２の利点および欠点は以下のようになる。
【００５４】
利点：
・多重化されたサービスは、仮想的なサービスと見なされ、したがって、サービス多重化がより容易にサポートされる。
・複雑性が低いこと、それは、サービス多重化グループ内の単一のサービスの開始または終了が、サービス多重化グループのコンテンツ同期に影響を与えることがないためである。
【００５５】
欠点：
・サービス多重化グループ内で異なるサービスを識別するためには、さらなる情報、またはＢＭ−ＳＣバッファが必要になる。
【００５６】
図２Ｂ〜２Ｄは、ＳＹＮＣエンティティ作成プロセス、ＳＹＮＣエンティティ更新プロセス、およびＳＹＮＣエンティティ解放プロセスを含む、実施形態２の特有のオペレーション・フローを示している。
【００５７】
図２Ｂは、実施形態２によるＳＹＮＣエンティティ作成プロセスを示す。図２Ｂで示すように、ステップＳ２０１で、ＢＭ−ＳＣは、サービス・グループの合計量に等しい量の複数のＳＹＮＣエンティティを作成する。ステップＳ２０３で、ＢＭ−ＳＣは、各ＳＹＮＣエンティティが１つのサービス・グループに関連付けられ、かつ各サービス・グループがまた、１つのＳＹＮＣエンティティに関連付けられるように、１対１の対応関係で、作成された複数のＳＹＮＣエンティティをサービス・グループと関連付ける。次いで、ステップＳ２０５で、ＢＭ−ＳＣは、ＳＹＮＣエンティティ作成命令を、ＭＢＳＦＮ領域内のｅＮＢに送信するが、そのＳＹＮＣエンティティ作成命令は、サービスの合計量、サービス・グループ化情報、およびサービス開始指示を含むことができる。ステップＳ２０７で、ｅＮＢは、受信したＳＹＮＣエンティティ作成命令に基づき、サービス・グループの合計量に等しい量の複数のＳＹＮＣエンティティを作成する。ステップ２０９で、ｅＮＢは、各ＳＹＮＣエンティティが１つのサービス・グループに関連付けられ、かつ各サービス・グループがまた、１つのＳＹＮＣエンティティに関連付けられるように、１対１の対応関係で、作成された複数のＳＹＮＣエンティティをサービス・グループと関連付ける。このようにして、ＳＹＮＣエンティティ作成プロセスが完了する。このＳＹＮＣエンティティ作成プロセスは、概して、システムの初期化プロセス中に行われる。システムが動作状態にあるとき、動作中にサービス変更が行われる（新しいサービスが開始する、または元のサービスが終了する）間に、ＳＹＮＣエンティティ更新プロセス、およびＳＹＮＣエンティティ解放プロセスが実施されることになる。
【００５８】
図２Ｃは、実施形態２によるＳＹＮＣエンティティ更新プロセスを示している。図２Ｃで示すように、ステップＳ２１０で、新しいサービスが開始すると、ＢＭ−ＳＣは、まず、新しいサービスが、既存のサービス・グループに属しているかどうかを判定する。新しいサービスが、既存のサービス・グループに属している場合（ステップＳ２１０：ＹＥＳ）、ＢＭ−ＳＣは、ステップＳ２１５を直接実施する。他方で、新しいサービスが、どの既存のサービス・グループにも属していない場合（ステップＳ２１０：ＮＯ）、ＢＭ−ＳＣは、ステップＳ２１１で、新しいＳＹＮＣエンティティを作成する。ステップＳ２１３で、ＢＭ−ＳＣは、作成された新しいＳＹＮＣエンティティを、１対１の対応関係で新しいサービスと関連付ける。次いで、ステップＳ２１５で、ＢＭ−ＳＣは、ＳＹＮＣエンティティ更新命令を、ＭＢＳＦＮ領域内のｅＮＢに送信するが、そのＳＹＮＣエンティティ更新命令は、サービス識別情報、サービス・グループ化情報、およびサービス開始指示を含むことができる。ステップＳ２１６で、ｅＮＢは、まず、受信したＳＹＮＣエンティティ更新命令に基づき、新しいサービスが、既存のサービス・グループに属しているかどうかを判定する。新しいサービスが、既存のサービス・グループに属している場合（ステップＳ２１６：ＹＥＳ）、ｅＮＢは、ＳＹＮＣエンティティ更新オペレーションを何も行う必要がなく、ステップＳ２１８で、ＳＹＮＣエンティティ更新オペレーションが終了する。他方で、新しいサービスが、どの既存のサービス・グループにも属していない場合（ステップＳ２１６：ＮＯ）、ｅＮＢは、ステップＳ２１７で、受信したＳＹＮＣエンティティ更新命令に基づき、新しいＳＹＮＣエンティティを作成する。ステップＳ２１９で、ｅＮＢは、作成された新しいＳＹＮＣエンティティを、１対１の対応関係で新しいサービスと関連付ける。このようにして、新しいサービスに対するＳＹＮＣエンティティ更新プロセスが完了する。
【００５９】
図２Ｄは、実施形態２によるＳＹＮＣエンティティ解放プロセスを示している。図２Ｄで示すように、ステップＳ２２１で、ＢＭ−ＳＣは、元のサービスの終了を検出する。ステップＳ２２２で、ＢＭ−ＳＣは、元のサービスが、その属しているサービス・グループ中の最後のサービスであるかどうかを判定する。元のサービスが、その属しているサービス・グループ中の最後のサービスではない場合（ステップＳ２２２：ＮＯ）、ＢＭ−ＳＣは、直接ステップＳ２２５を実施する。他方で、元のサービスが、その属しているサービス・グループ中の最後のサービスである場合（ステップＳ２２２：ＹＥＳ）、ＢＭ−ＳＣは、ステップＳ２２３で、元のサービスが属しているサービス・グループに関連付けられたＳＹＮＣエンティティを解放する。次いで、ステップＳ２２５で、ＢＭ−ＳＣは、ＳＹＮＣエンティティ解放命令を、ＭＢＳＦＮ領域内のｅＮＢに送信するが、そのＳＹＮＣエンティティ解放命令は、サービス識別情報、サービス・グループ化情報、およびサービス終了指示を含むことができる。ステップＳ２２６で、ｅＮＢは、まず、受信したＳＹＮＣエンティティ解放命令に基づき、元のサービスが、その属しているサービス・グループ中の最後のサービスであるかどうかを判定する。元のサービスが、その属しているサービス・グループ中の最後のサービスではない場合（ステップＳ２２６：ＮＯ）、ｅＮＢは、ＳＹＮＣエンティティ解放オペレーションを何も実施する必要はなく、ステップＳ２２８で、ＳＹＮＣエンティティ解放オペレーションは終了する。他方で、元のサービスが、その属しているサービス・グループ中の最後のサービスである場合（ステップＳ２２６：ＹＥＳ）、ｅＮＢは、ステップＳ２２７で、受信したＳＹＮＣエンティティ解放命令に基づき、元のサービスが属しているサービス・グループに関連付けられたＳＹＮＣエンティティを解放する。このようにして、元のサービスに対するＳＹＮＣエンティティ解放プロセスが完了する。
【００６０】
ＳＹＮＣエンティティを作成し、更新し、かつ解放する上記のプロセス中は、サービス・グループ中で異なるサービスを識別するために、さらなる情報（サービス・グループ化情報）が使用される。しかし、前に述べたように、このようなさらなる情報を使用せずに、バッファリングおよび再構成法を、ＢＭ−ＳＣで実施することもできる。
【００６１】
実施形態３：ＭＢＳＦＮ領域をベースにしたＳＹＮＣエンティティ
【００６２】
図３Ａは、ＳＹＮＣエンティティがＭＢＳＦＮ領域に基づいている、実施形態３の図を示している。
【００６３】
図３Ａで示すように、実施形態３では、各ＭＢＳＦＮ領域内に１つのＳＹＮＣエンティティがあるだけであり、ＳＹＮＣエンティティは、静的に構成することができ、また最後まで解放されることはない。実施形態３は、はるかに簡単に見えるが、実際はそうではない。異なるサービスは異なる方法で、すなわち、多重化／非多重化して、あるいはいくつかのサービスは終了し、いくつかのサービスはまだ継続させて、送信される可能性がある。バイト計数およびパケット計数が、すべてのサービスに対して共に行われるため、継続中のサービスは、すでに終了したサービスによって影響を受ける可能性がある。実際に、送信が互いに独立しているサービス間で、ＳＹＮＣエンティティを共用する必要がない。したがって、実施形態３は、ＳＹＮＣ機構の設計において、より複雑になる可能性がある。
【００６４】
概して、実施形態３の利点および欠点は、以下のようになる。
【００６５】
利点：
・ＳＹＮＣエンティティが１つだけ存在しており、それは最後まで解放されることがない。
【００６６】
欠点：
・かなり複雑であること、それは、単一のＳＹＮＣアルゴリズムで、無関係のサービスを考慮する必要があるからである。
・サービス多重化グループ内で異なるサービスを識別するために、さらなる情報またはＢＭ−ＳＣバッファが必要になる。
【００６７】
図３Ｂは、ＳＹＮＣエンティティ作成プロセスおよびＳＹＮＣエンティティ更新プロセスを含む、実施形態３の特有のオペレーション・フローを示している。
【００６８】
図３Ｂで示すように、ステップＳ３０１で、ＢＭ−ＳＣは、単一のＳＹＮＣエンティティを作成する、または静的に構成する。次いで、ステップＳ３０５で、ＢＭ−ＳＣは、ＳＹＮＣエンティティ作成命令を、ＭＢＳＦＮ領域内のｅＮＢに送信するが、そのＳＹＮＣエンティティ作成命令は、サービス識別情報、サービス・グループ化情報、およびサービス開始指示を含むことができる。ステップＳ３０７で、各ｅＮＢは、受信したＳＹＮＣエンティティ作成命令に基づき、単一のＳＹＮＣエンティティを作成する。このようにして、ＳＹＮＣエンティティ作成プロセスが完了する。このＳＹＮＣエンティティ作成プロセスは、概して、システムの初期化プロセス中に行われる。システムが動作状態にあるとき、動作中にサービス変更が行われる（新しいサービスが開始する、または元のサービスが終了する）間に、ＳＹＮＣエンティティ更新プロセスが実施されることになる。
【００６９】
さらに図３Ｂを参照すると、図３Ｂで点線により示されるように、実施形態３は、ＳＹＮＣエンティティの解放に関係していないので、ＳＹＮＣエンティティ更新プロセスだけが、新しいサービスの開始、または元のサービスの終了に対して実施される。ＳＹＮＣエンティティ更新プロセス中（ステップＳ３１５）に、ＢＭ−ＳＣは、ＳＹＮＣエンティティ更新命令を、ＭＢＳＦＮ領域内のｅＮＢに送信するが、そのＳＹＮＣエンティティ更新命令は、サービス識別情報、サービス・グループ化情報、およびサービス開始指示（またはサービス終了指示）を含むことができる。このようにして、ＳＹＮＣエンティティ更新プロセスが完了する。
【００７０】
ＳＹＮＣエンティティを作成し、かつ更新する上記のプロセス中に、サービス・グループ中の異なるサービスを識別するために、さらなる情報（サービス・グループ化情報）が使用される。しかし、前に述べたように、このようなさらなる情報を使用せずに、バッファリングおよび再構成法を、ＢＭ−ＳＣで実施することもできる。
【００７１】
図４は、ＳＹＮＣエンティティを作成し、更新し、かつ解放するプロセスを実施するように構成されたＢＭ−ＳＣの構造ブロック図を示している。簡単化のために、図４は、各プロセス中に必要になる可能性のあるすべてのコンポーネントを示していることに留意されたい。しかし、いずれかの単一のプロセスに対して、これらのコンポーネントがすべて必要になるわけではない。当業者であれば、実施される様々な実施形態における様々なプロセスに対して、これらの例示されたコンポーネントを、必要に応じて、選択し、破棄し、または組み合わせることができる。
【００７２】
図４で示すように、本発明によるＢＭ−ＳＣ４００は、新しいサービスが開始するのか、それとも元のサービスが終了するのか（Ｓ１１１、Ｓ１２１、Ｓ２１０、Ｓ２２１）を判定するように構成されたサービス開始／終了ユニット４１０と、サービスまたはサービス・グループに基づき作成されうる（Ｓ１０１、Ｓ１１１、Ｓ２０１、Ｓ２１０、Ｓ２１１）、あるいはサービスまたはサービス・グループとは独立に作成されうる（Ｓ３０１）ＳＹＮＣエンティティを作成するように構成されたＳＹＮＣエンティティ作成ユニット４２０と、ＳＹＮＣエンティティ作成ユニット４２０により作成されたＳＹＮＣエンティティを、サービスまたはサービス・グループと関連付ける（Ｓ１０３、Ｓ１１３、Ｓ２０３、Ｓ２１３）ように構成されたＳＹＮＣエンティティ関連付けユニット４２５と、サービスまたはサービス・グループに基づき、ＳＹＮＣエンティティを解放する（Ｓ１２３、Ｓ２２２、Ｓ２２３）ように構成されたＳＹＮＣエンティティ解放ユニット４３０と、ＳＹＮＣエンティティ作成命令、ＳＹＮＣエンティティ更新命令、またはＳＹＮＣエンティティ解放命令を、ＭＢＳＦＮ領域内のすべてのｅＮＢに送信する（Ｓ１０５、Ｓ１１５、Ｓ１２５、Ｓ２０５、Ｓ２１５、Ｓ２２５、Ｓ３０５、Ｓ３１５）ように構成された命令ユニット４４０とを含む。
【００７３】
図５は、ＳＹＮＣエンティティを作成し、更新し、かつ解放するプロセスを実施するように構成されたｅＮＢの構造ブロック図を示している。簡単化のために、図５は、各プロセス中に必要になる可能性のあるすべてのコンポーネントを示していることに留意されたい。しかし、いずれかの単一のプロセスに対して、これらのコンポーネントがすべて必要になるわけではない。当業者であれば、実施される様々な実施形態における様々なプロセスに対して、これらの例示されたコンポーネントを、必要に応じて、選択し、破棄し、または組み合わせることができる。
【００７４】
図５で示すように、本発明によるｅＮＢ５００は、ＢＭ−ＳＣから、ＳＹＮＣエンティティ作成命令、ＳＹＮＣエンティティ更新命令、またはＳＹＮＣエンティティ解放命令を受信する（Ｓ１０５、Ｓ１１５、Ｓ１２５、Ｓ２０５、Ｓ２１５、Ｓ２２５、Ｓ３０５、Ｓ３１５）ように構成された受信ユニット５１０と、サービスまたはサービス・グループに基づき作成されうる（Ｓ１０７、Ｓ１１７、Ｓ２０７、Ｓ２１６、Ｓ２１７）、あるいはサービスまたはサービス・グループとは独立して作成されうる（Ｓ３０７）ＳＹＮＣエンティティを作成するように構成されたＳＹＮＣエンティティ作成ユニット５２０と、ＳＹＮＣエンティティ作成ユニット５２０により作成されたＳＹＮＣエンティティを、サービスまたはサービス・グループと関連付ける（Ｓ１０９、Ｓ１１９、Ｓ２０９、Ｓ２１９）ように構成されたＳＹＮＣエンティティ関連付けユニット５２５と、サービスまたはサービス・グループに基づき、ＳＹＮＣエンティティを解放する（Ｓ１２７、Ｓ２２６、Ｓ２２７）ように構成されたＳＹＮＣエンティティ解放ユニット５３０とを含む。
【００７５】
上記の実施形態は、例示ためのものに過ぎず、本発明を限定することは意図されていない。当業者であれば、本発明の範囲および趣旨を逸脱することなく、諸実施形態に対して様々な変更および置換えが可能であること、およびこれらの変更および置換えは、添付の特許請求の範囲により限定される範囲に含まれることを理解されたい。
【図１Ａ】
0005250719.tif 000002
【図１Ｂ】
0005250719.tif 000003
【図１Ｃ】
0005250719.tif 000004
【図１Ｄ】
0005250719.tif 000005
【図２Ａ】
0005250719.tif 000006
【図２Ｂ】
0005250719.tif 000007
【図２Ｃ】
0005250719.tif 000008
【図２Ｄ】
0005250719.tif 000009
【図３Ａ】
0005250719.tif 000010
【図３Ｂ】
0005250719.tif 000011
【図４】
0005250719.tif 000012
【図５】
0005250719.tif 000013